(57)【要約】【課題】複数が並んで配置されたり本体の側面を壁に接して配置されたりする場合であっても、外部記憶媒体を着脱する際の作業性を高める。【解決手段】メモリカード１９を装着するカードスロット１８は、メモリカード１９の着脱方向と加熱室の開口部の開口方向とが同じになるように配設されている。被加熱物を加熱室に対して出入する方向とメモリカード１９をカードスロット１８に対して着脱する方向とを同じにすることができ、複数が並んで配置されたり本体２の側面を壁に接して配置されたりする場合であっても、加熱調理器１を移動させる必要なくメモリカード１９を着脱することができる。【選択図】図１
2008121988.tif 000002
【特許請求の範囲】
【請求項１】
本体と、
被加熱物を出入するための開口部が前記本体の前面側に形成されている加熱室と、
前記加熱室内に収容された被加熱物を加熱する加熱手段と、
調理加熱情報が記憶されている外部記憶媒体を装着する外部記憶媒体装着手段と、
前記外部記憶媒体装着手段に装着された前記外部記憶媒体から読出した調理加熱情報に基づいて前記加熱手段を制御する制御手段とを備え、
前記制御手段は、前記加熱室の下方に設けられ、
前記外部記憶媒体装着手段は、前記加熱室の下方で前記制御手段の近傍に且つ前記外部記憶媒体の着脱方向が前記加熱室の前記開口部の開口方向と同じになるように設けられていることを特徴とする加熱調理器。
【請求項２】
請求項１に記載した加熱調理器において、
前記制御手段が設けている箇所に風路を形成するように前記本体の前面側に設けられた吸気口及び前記本体の後方側に設けられた排気口と、
前記外部記憶媒体装着手段及び前記吸気口を塞ぐように前記本体に対して着脱自在に設けられたメッシュフィルタとを備えたことを特徴とする加熱調理器。
【請求項３】
請求項１または２に記載した加熱調理器において、
前記加熱手段は、前記加熱室の上方に設けられていることを特徴とする加熱調理器。
【請求項４】
請求項１ないし３のいずれかに記載した加熱調理器において、
調理加熱情報を記憶する内部記憶手段を備え、
前記制御手段は、前記内部記憶手段の近傍に設けられ、前記外部記憶媒体装着手段に装着されている前記外部記憶媒体の調理加熱情報を前記内部記憶手段に転送させ、前記内部記憶手段の調理加熱情報を前記外部記憶媒体の調理加熱情報で書換え可能に構成されていることを特徴とする加熱調理器。
【発明の詳細な説明】
【技術分野】
【０００１】
本発明は、例えば加熱時間などの調理に関する調理加熱情報が記憶されている外部記憶媒体を装着可能に構成されている加熱調理器に関する。
【背景技術】
【０００２】
加熱調理器は、本体の前面側に加熱室の開口部が形成されており、被加熱物を本体の前面側から加熱室に出入するように構成されている。また、加熱調理器は、内部メモリに例えば加熱時間などの調理に関する調理加熱情報が記憶され、その内部メモリに記憶されている調理加熱情報に基づいて調理されるように構成されている。
【０００３】
ところで、内部メモリの容量は有限であるので、内部メモリに記憶させておける調理加熱情報には限度がある。そのため、例えばコンビニエンスストアやファーストフード店などの四季折々に調理メニューを多種多様に変更する態様では、内部メモリに記憶されている調理加熱情報のみでは多種多様の調理メニューに対応することができないという問題があった。そこで、例えばメモリカードなどの外部メモリを利用し、メモリカードをカードスロットに装着することにより、内部メモリの調理加熱情報では不足する分をメモリカードの調理加熱情報で補うようにした構成がある（例えば特許文献１参照）。
【特許文献１】特開平８−２４１７８９号公報
【発明の開示】
【発明が解決しようとする課題】
【０００４】
しかしながら、上記した特許文献１に記載されている加熱調理器では、メモリカードを装着するカードスロットが加熱室の上方に設けられており、しかも、メモリカードを本体の左右方向から着脱する構成となっているので、周囲に障害物が何ら存在することなく加熱調理器が単独で配置される態様であれば、メモリカードを着脱する際の作業性に何ら問題が発生することはないが、複数の加熱調理器が並んで配置されたり本体の側面を壁に接して配置されたりする態様であれば、メモリカードを着脱する際に本体の側面が見えるように加熱調理器を移動させる必要があり、メモリカードを着脱する際の作業性に劣るという問題がある。
【０００５】
また、カードスロットが加熱室の上方に設けられているので、加熱室で熱せられた空気が上昇すると、カードスロットに熱が伝達されて高温になり、加熱室からの熱に起因して不具合が発生してしまう虞もある。さらに、メモリカードに記憶されている調理加熱情報を読出す制御装置がカードスロットから離れていると、カードスロットから制御装置までの通信経路にノイズが重畳してしまう虞もある。
【０００６】
本発明は、上記した事情に鑑みてなされたものであり、その目的は、複数が並んで配置されたり本体の側面を壁に接して配置されたりする場合であっても、外部記憶媒体を着脱する際の作業性を高めることができ、また、外部記憶媒体装着手段に熱が伝達されてしまうことを未然に回避することができ、さらに、外部記憶媒体装着手段から制御手段までの通信経路にノイズが重畳してしまうことを極力抑制することができる加熱調理器を提供することにある。
【課題を解決するための手段】
【０００７】
請求項１記載の発明は、本体と、被加熱物を出入するための開口部が前記本体の前面側に形成されている加熱室と、前記加熱室内に収容された被加熱物を加熱する加熱手段と、調理加熱情報が記憶されている外部記憶媒体を装着する外部記憶媒体装着手段と、前記外部記憶媒体装着手段に装着された前記外部記憶媒体から読出した調理加熱情報に基づいて前記加熱手段を制御する制御手段とを備え、前記制御手段は、前記加熱室の下方に設けられ、前記外部記憶媒体装着手段は、前記加熱室の下方で前記制御手段の近傍に且つ前記外部記憶媒体の着脱方向が前記加熱室の前記開口部の開口方向と同じになるように設けられているところに特徴を有する。
【発明の効果】
【０００８】
請求項１記載の発明によれば、外部記憶媒体の着脱方向と加熱室の開口部の開口方向とが同じになるように外部記憶媒体装着手段を設けたので、被加熱物を加熱室に対して出入する方向と外部記憶媒体を外部記憶媒体装着手段に対して着脱する方向とを同じにすることができ、複数が並んで配置されたり本体の側面を壁に接して配置されたりする場合であっても、加熱調理器を移動させる必要なく外部記憶媒体を容易に着脱することができ、外部記憶媒体を着脱する際の作業性を高めることができる。また、外部記憶媒体装着手段を加熱室の下方に設けたので、加熱室で熱せられた空気が上昇したとしても、外部記憶媒体装着手段に熱が伝達されることはなく、加熱室からの熱に起因して不具合が発生してしまうことを未然に回避することができる。さらに、外部記憶媒体装着手段を制御手段の近傍に設けたので、外部記憶媒体装着手段から制御手段までの通信経路を極力短くすることができ、通信経路にノイズが重畳してしまうことを極力抑制することができる。
【発明を実施するための最良の形態】
【０００９】
以下、本発明の一実施形態について図面を参照して説明する。まず、図１ないし図４は、加熱調理器の構成を概略的に示している。加熱調理器１は、本体２が外箱３を主体として構成されており、外箱３の内部には被加熱物Ｗが収容される加熱室４が配設されており、加熱室４の上下左右外側には風路５が形成されている。風路５は、加熱室４の左右ダクト部５ａ，５ｂ、上部ダクト部５ｃ、下部ダクト部５ｄ、後部ダクト部５ｅ、上部通気部５ｆ、下部通気部５ｇ及び側部通気部５ｈから構成されている。風路５の上部ダクト部５ｃの内部にはヒータ６が配設されており、上部ダクト部５ｅには送風ファン７が配設されている。送風ファン７は送風ファンモータ７ａにより回転駆動されるようになっており、これらヒータ６及び送風ファン７により加熱用の熱風を生成する加熱装置８（本発明でいう加熱手段）が構成されている。
【００１０】
この場合、ヒータ６が通電され、送風ファン７が送風ファンモータ７ａにより回転駆動されると、被加熱物を加熱する熱風が風路５を図３ないし図５中矢印Ａにて示すように流れる。すなわち、熱風は、上部通気部５ｆを通して加熱室４に供給され、被加熱物Ｗを加熱した後に、下部通気部５ｇ、側部通気部５ｈ、側部ダクト部５ａ，５ｂ、後部ダクト部５ｅを経由し、加熱装置８の周辺に戻ることを繰返す。
【００１１】
加熱室４の後方外側下部にはマイクロ波発生装置９が配設されており、マイクロ波発生装置９は導波管１０を介してマイクロ波を加熱室４の下方から内方へ供給するようになっている。スタラファン１１はスタラファンモータ１２により回転駆動されるようになっており、マイクロ波発生装置９から発生されたマイクロ波はスタラファン１１により拡散すされるようになっている。また、加熱室４の奥部にあってヒータ６の近傍にはサーミスタ１３が配設されており、加熱室４の内部温度とヒータ６の近傍温度とを良好に測定し得る部位に設置されている。
【００１２】
本体２（外箱３）の前面側には加熱室４の開口部４ａを開閉する扉１４が回動可能に配設されており、扉１４の上方部にはパネル１５が配設されている。パネル１５には例えば液晶表示器からなる表示器１６が配設されていると共に、操作キー群１７が配設されている。操作キー群１７は、スタートキー１７ａ、停止／取消キー１７ｂ、メモリキー１７ｃ、切換キー１７ｄ、モード切換キー１７ｅ、メニュー切換キー１７ｆ、追加加熱キー１７ｇ、分量キー１７ｈ、「０」〜「９」までの１０個の数字キー１７ｉを有して構成されている。
【００１３】
また、本体２の前面側で加熱室４の下方には、図１に示すように、カードスロット１８（本発明でいう外部記憶媒体装着手段）が中央から外れた部位に（本実施形態では正面かから見て右寄りに）配設されている。カードスロット１８のカード装着口１８ａは正面を向いており、つまり、メモリカード１９（本発明でいう外部記憶媒体）のカードスロット１８に対する着脱方向と加熱室４の開口部４ａの開口方向とは同じになっている（図４及び図５中では左右方向）。また、本体２の前面側で加熱室４の下方にはカードスロット１８と並ぶように多数の吸気口２０が配列されている。
【００１４】
カードスロット１８の奥側には配線基板２１が配設されており、配線基板２１には制御装置２２（本発明でいう制御手段）及び内部メモリ２３（本発明でいう内部記憶手段）を構成する多種の電子部品が実装されている。このうち、制御装置２２及び内部メモリ２３を構成する電子部品は配線基板２１にあってカードスロット１８側（図４及び図５では左側）に寄って実装されており、カードスロット１８と配線基板２１とは「Ｌ」字形状の接続端子２４を介して電気的に接続されている。また、配線基板２１の奥側には冷却ファン２５が配設されており、本体２の後方側には排気口２６が形成され、排気口２６の後方には排気口カバー２７が配設されている。
【００１５】
加熱室４の下方には上記した吸気口２０から排気口２６まで風路２８が形成され、冷却ファン２５が冷却ファンモータ２５ａ（図６参照）により回転駆動されると、外部から吸気口２０に吸入された空気は風路２８を図４及び図５中矢印Ｂにて示すように流れる。すなわち、外部から吸気口２０に吸入された空気は、配線基板２１の上方に供給され、制御装置２２及び内部メモリ２３を構成する多種の電子部品を冷却し、続いてマイクロ波発生装置９を冷却した後に、排気口２６から外部に排出される。そして、本体２には、図２及び図４に示すように、カードスロット１８のカード装着口１８ａ及び多数の吸気口２０を塞ぐように複数の（本実施形態では５個の）メッシュ状の通気口２９ａを有するメッシュフィルタ２９が着脱自在に装着されるようになっている。
【００１６】
図６は、上記した加熱調理器１の電気的構成を示している。制御装置２２は、マイクロコンピュータ及び各種駆動回路を含んで構成されており、制御プログラムを実行し、操作キー群１７から入力した操作検出信号やサーミスタ１３から入力した温度検出信号に基づいて、表示器１６、マイクロ波発生装置９、ヒータ６、送風ファンモータ７ａ、冷却ファンモータ２５ａ及びスタラファンモータ１２の動作を制御する。
【００１７】
内部メモリ２３及びメモリカード１９には、加熱時間などの調理加熱情報が記憶されており、制御装置２２は、内部メモリ２３から読出した調理加熱情報にしたがって被加熱物Ｗを調理したり、カードスロット１８に装着されているメモリカード１９から読出した調理加熱情報にしたがって被加熱物Ｗを調理したりする。尚、メモリカード１９に調理加熱情報を記憶させる（書込む）方法としては、例えばパソコンに接続された書込みツール（リーダライタなど）を使用する方法がある。
【００１８】
また、制御装置２２は、メモリカード１９から読出した調理加熱情報を内部メモリ２３に転送させることにより、内部メモリ２３の調理加熱情報をメモリカード１９の調理加熱情報で書換える（更新する）ことも可能になっている。具体的には、制御装置２２は、メモリカード１９がカードスロット１８に装着されると、調理加熱情報を書換えるための書換えモード画面を表示器１６に表示させ、作業者が操作キー群１７のうち所定キーを操作して書換え開始を指示すると、メモリカード１９の調理加熱情報を内部メモリ２３に順次転送させ、内部メモリ２３の調理加熱情報をメモリカード１９の調理加熱情報で書換える書換え処理を開始させる。このとき、制御装置２２は、例えば規則的な点滅を表示器１６に表示させ、内部メモリ２３の調理加熱情報をメモリカード１９の調理加熱情報で書換えていることを作業者に知らせる。そして、制御装置２２は、書換え処理を正常に完了すると、例えばブザー（図示せず）を駆動させることにより、内部メモリ２３の調理加熱情報をメモリカード１９の調理加熱情報で書換えた（更新した）ことを作業者に知らせる。尚、制御装置２２は、このようにしてメモリカード１９から内部メモリ２３に転送された調理加熱情報（メモリカード１９の調理加熱情報で書換えられた内部メモリ２３の調理加熱情報）にしたがっても被加熱物Ｗを調理する。
【００１９】
ところで、メモリカード１９をカードスロット１８に装着させる場合には、図７に示す手順を行う。すなわち、最初に、ネジ３０を緩めて取外した後にメッシュフィルタ２９を本体２（外箱３）から取外し、次いで、ネジ３１を緩め、カバー３２の係合片３２ａをカードスロット１８側の切欠部１８ｂから外してカバー３２をカードスロット１８から取外し、カードスロット１８のカード装着口１８ａを露出させる。そして、メモリカード１９の端部をカード装着口１８ａに挿入し、メモリカード１９の全体を図７中矢印Ｐ方向に押込むことにより、メモリカード１９をカードスロット１８に装着させることができる。一方、メモリカード１９をカードスロット１８から離脱させる場合には、カード装着口１８ａの脇に配置されているカード排出ボタン（図示せず）を押圧し、カード排出機構（図示せず）を作動させることにより、メモリカード１９をカードスロット１８から離脱させることができる。そして、カバー３２をカードスロット１８に取付ける際には、カバー３２の係合片３２ａをカードスロット１８側の切欠部１８ｂに係合させた上でネジ３１を締付けることにより、カバー３２をカードスロット１８に取付けることができる。
【００２０】
以上に説明したように本実施形態によれば、加熱調理器１において、メモリカード１９の着脱方向と加熱室４の開口部４ａの開口方向とが同じになるようにカードスロット１８を配設したので、被加熱物Ｗを加熱室４に対して出入する方向とメモリカード１９をカードスロット１８に対して着脱する方向とを同じにすることができ、複数が並んで配置されたり本体２の側面を壁に接して配置されたりする場合であっても、加熱調理器１を移動させる必要なくメモリカード１９を着脱することができ、メモリカード１９を着脱する際の作業性を高めることができる。また、カードスロット１８を加熱室４の下方に配設したので、加熱室４で熱せられた空気が上昇したとしても、カードスロット１８に熱が伝達されることはなく、加熱室４からの熱に起因して不具合が発生してしまうことを未然に回避することができる。また、カードスロット１８を制御装置２２の近傍に配設したので、カードスロット１８から制御装置２２までの通信経路を極力短くすることができ、通信経路にノイズが重畳してしまうことを極力抑制することができる。
【００２１】
また、吸気口２０及び排気口２６を形成し、制御装置２２及びマイクロ波発生装置９が配設されている箇所（配線基板２１の上方）に風路２８を形成したので、制御装置２２及びマイクロ波発生装置９を冷却することができる。また、カードスロット１８及び吸気口２０を塞ぐようにメッシュフィルタ２８を着脱自在に配設したので、カードスロット１８及び吸気口２０に塵埃が付着してしまうことを未然に回避することができ、しかも、カードスロット１８を隠して外観デザイン性（見栄え）を良くすることをもできる。
【００２２】
また、カバー３２がカードスロット１８から取外されることにより、カードスロット１８のカード装着口１８ａが露出されるように構成したので、メモリカード１９を扱う作業者以外の人間が不用意にカード装着口１８ａに触れてしまうことを未然に回避することができ、しかも、メモリカード１９以外の異物が作業者の意図に反して不用意にカード装着口１８ａから内部に侵入してしまうことをも未然に回避することができる。
【００２３】
また、加熱装置８を加熱室４の上方に配設したので、制御装置２２や内部メモリ２３やカードスロット１８を加熱装置８から遠ざけることができ、これら制御装置２２や内部メモリ２３やカードスロット１８に加熱装置８からの熱に起因して不具合が発生してしまうことを未然に回避することができる。
【００２４】
また、メモリカード１９がカードスロット１８に装着され、メモリカード１９の調理加熱情報が内部メモリ２３に転送されることにより、内部メモリ２３の調理加熱情報がメモリカード１９の調理加熱情報で書換えられるように構成したので、内部メモリ２３の調理加熱情報を任意に書換えることができ、例えば新食品の開発に追従して内部メモリ２３の調理加熱情報を多種多様に書換えることができる。さらに、内部メモリ２３の調理加熱情報がメモリカード１９の調理加熱情報で書換えられた以後では、メモリカード１９がカードスロット１８に装着されている必要はないので、加熱調理器１毎にメモリカード１９が用意される必要はなく、１枚のメモリカード１９で複数の加熱調理器１に対して内部メモリ２３の調理加熱情報を書換えることができる。すなわち、例えば作業者が１枚のメモリカード１９を携帯してコンビニエンスストアやファーストフード店を巡回することにより、各店舗に設置されている加熱調理器１に対して内部メモリ２３の調理加熱情報を効率良く書換えることができる。
【００２５】
本発明は、上記した実施形態にのみ限定されるものではなく、以下のように変形または拡張することができる。
外部記憶媒体は、カード形状のものに限らず、スティック形状のものであっても良い。
カードスロット１８が本体２の前面側下方で中央から外れた部位に配設されている構成に限らず、カードスロット１８が本体２の前面側下方で中央周辺に配設されている構成であっても良い。
非加熱物Ｗを加熱する態様として送風を伴わないヒータ加熱であっても良い。
メモリカード１９のカード識別情報と加熱調理器１の装置識別情報とを照合し（認証し）、照合結果が正である場合に限ってメモリカード１９の調理加熱情報の内部メモリ２３への転送が許可される構成であっても良い。
【図面の簡単な説明】
【００２６】
【図１】本発明の一実施形態を示すもので、メッシュフィルタが取外された状態で加熱調理器を正面から見た斜視図
【図２】メッシュフィルタが取付けられた状態で加熱調理器を正面から見た斜視図
【図３】加熱室を示す縦断正面図
【図４】縦断側面図
【図５】カードスロット周辺をメッシュフィルタが取外された状態で示す縦断側面図
【図６】電気的な構成を示す機能ブロック図
【図７】メモリカードをカードスロットに装着させる手順を示す図
【符号の説明】
【００２７】
図面中、１は加熱調理器、２は本体、４は加熱室、４ａは開口部、８は加熱装置（加熱手段）、１８はカードスロット（外部記憶媒体装着手段）、１９はメモリカード（外部記憶媒体）、２０は吸気口、２２は制御装置（制御手段）、２３は内部メモリ（内部記憶手段）、２６は排気口、２８は風路、２９はメッシュフィルタである。
【図１】
2008121988.tif 000003
【図２】
2008121988.tif 000004
【図３】
2008121988.tif 000005
【図４】
2008121988.tif 000006
【図５】
2008121988.tif 000007
【図６】
2008121988.tif 000008
【図７】
2008121988.tif 000009